(57)【特許請求の範囲】
【請求項１】
散水器セットと収容体とを含む分解可能式散水器セットとその収容体であって、
前記収容体には、前記散水器セットを収容可能に設けるとともに、前記収容体の内面に前記散水器セットの形状に合う窪み形状を持つライニングを設け、
前記散水器セットは、連接装置を具備し、前記連接装置は、連接具を具備し、前記連接具は、一端が前記収容体と接合可能で、他端が別の連接具と接合可能に構成されることを特徴とする、分解可能式散水器セットとその収容体。
【請求項２】
前記ライニングには前記ライニングを貫通した注入穴が複数開設され、
それぞれの前記注入穴にはシールパッキンが設けられ、
前記収容体の外面には、二つのケースが形成され、
前記ケースと前記ライニングとが充填空間を構成し、前記二つのケースは、一端が互いに連接しており、他端の中央に握り部が形成してあることを特徴とする、請求項１に記載の分解可能式散水器セットとその収容体。
【請求項３】
前記散水器セットは、回転式の噴水ヘッドと、ホースと接続可能の接合具と、前記噴水ヘッドと前記接合具と収容体とを接続する連接装置と、全体構成の頂部に設けられ、多方向および多形態の散水を可能にする散水ヘッドと、を含み、
前記連接装置の収容体にある握り部に対応する箇所では、前記握り部の窪みと嵌合可能の固定連接具が複数に設けてあり、前記各固定連接具が前記収容体の握り部と重ね可能であり、そのうちの一つの固定連接具には貫通孔を呈する挿入部が設けてあり、別の固定連接具には外ねじを持つ固定連接部が設けてあり、前記挿入部に前記固定連接部を貫入すると、前記固定連接部は連接具の端部に設けられた継ぎ手と接合するようになることを特徴とする、請求項１に記載の分解可能式散水器セットとその収容体。
【請求項４】
前記散水器セットは、散水ヘッドと、前記散水ヘッドに合う複数の散水装置と、を含み、前記散水ヘッドは、本体の内部に多方向に向いている流路が設けてあり、外部に分流経路が複数に形成してあり、前記散水装置と接合するための接合体が設けてあり、前記接合体は、キャップ形状を呈し、前記分流経路に嵌められ、その開ロ端の外縁に前記散水装置と連接するための接合部が設けてあることを特徴とする、請求項１に記載の分解可能式散水器セットとその収容体。
【請求項５】
前記散水装置は、散水ヘッドの接合体と連接するための水ガイド具を有し、前記水ガイド具は、外面において異なる穴径を持つ噴水口が多数開設してある噴水具が套設され、末端がプラグに封止され、前記水ガイド具と前記接合体との間には、シール特性が優れる水受け体と、Oリングと、シールリングと、が設けてあり、しかも前記噴水具と前記水ガイド具との間にはシールリングが設けてあることを特徴とする、請求項4に記載の分解可能式散水器セットとその収容体。
【発明の詳細な説明】
【技術分野】
【０００１】
本発明は、分解可能式散水器セットとその収容体に係り、特に、携帯性が優れ、分解および組付が極めて容易である分解可能式散水器セットとその収容体に関するものである。
【背景技術】
【０００２】
園芸用の散水器の構造は、水力に押され三脚に支持される噴水ヘッドや散水ヘッドであることが一般であり、それを携帯して移動する場合には、散水ヘッドと三脚とは会離して携帯することができないので、且つ散水ヘッドが高いので、散水しているときに、重心が不安定で倒れることがあった。
【０００３】
また、野外用の携帯式のシャワー用散水ヘッドは、三脚に支持され、全体の高さが普通のユーザの身長よりもやや高くにし、携帯の便利性のために、分離可能な構造にされ、体積も小型化され、しかし、三脚の床面と接触する三つの点から形成される三角形の面積が小さいので、安定性が低く、且つ折畳んだ体積がより大きいので、携帯性が良くない。
【発明の開示】
【発明が解決しようとする課題】
【０００４】
本発明の主な目的は、分解された散水器を収容体の内部に入れ可能であり、且つ組付けられた散水器が収容体と連接して一体になることが可能である分解可能式散水器セットとその収容体を提供することにある。
【０００５】
本発明の次の目的は、散水ヘッドの流路が多方向に向いており、且つ散水ヘッドの散水形態を変更可能である分解可能式散水器セットとその収容体を提供することにある。
【課題を解決するための手段】
【０００６】
上記目的を達成するためになされた本願の発明は、散水器セットと収容体とを含む分解可能式散水器セットとその収容体であって、前記収容体には、前記散水器セットを収容可能に設けるとともに、前記収容体の内面に前記散水器セットの形状に合う窪み形状を持つライニングを設け、前記散水器セットは、連接装置を具備し、前記連接装置は、連接具を具備し、前記連接具は、一端が前記収容体と接合可能で、他端が別の連接具と接合可能に構成されることを要旨としている。
【０００７】
本願の発明では、前記ライニングには前記ライニングを貫通した注入穴が複数開設され、それぞれの前記注入穴にはシールパッキンが設けられ、前記収容体の外面には、二つのケースが形成され、前記ケースと前記ライニングとが充填空間を構成し、前記二つのケースは、一端が互いに連接しており、他端の中央に握り部が形成してあることを特徴とする請求項1に記載の分解可能式散水器セットとその収容体であることを要旨としている。
【０００８】
本願の発明では、前記散水器セットは、回転式の噴水ヘッドと、ホースと接続可能の接合具と、前記噴水ヘッドと前記接合具と収容体とを接続する連接装置と、全体構成の頂部に設けられ、多方向および多形態の散水を可能にする散水ヘッドと、を含み、前記連接装置の収容体にある握り部に対応する箇所では、前記握り部の窪みと嵌合可能の固定連接具が複数に設けてあり、前記各固定連接具が前記収容体の握り部と重ね可能であり、そのうちの一つの固定連接具には貫通孔を呈する挿入部が設けてあり、別の固定連接具には外ねじを持つ固定連接部が設けてあり、前記挿入部に前記固定連接部を貫入すると、前記固定連接部は連接具の端部に設けられた継ぎ手と接合するようになることを特徴とする請求項1に記載の分解可能式散水器セットとその収容体であることを要旨としている。
【０００９】
本願の発明では、前記散水器セットは、散水ヘッドと、前記散水ヘッドに合う複数の散水装置と、を含み、前記散水ヘッドは、本体の内部に多方向に向いている流路が設けてあり、外部に分流経路が複数に形成してあり、前記散水装置と接合するための接合体が設けてあり、前記接合体は、キャップ形状を呈し、前記分流経路に嵌められ、その開ロ端の外縁に前記散水装置と連接するための接合部が設けてあることを特徴とする請求項１に記載の分解可能式散水器セットとその収容体であることを要旨としている。
【００１０】
本願の発明では、前記散水装置は、散水ヘッドの接合体と連接するための水ガイド具を有し、前記水ガイド具は、外面において異なる穴径を持つ噴水口が多数開設してある噴水具が套設され、末端がプラグに封止され、前記水ガイド具と前記接合体との間には、シール特性が優れる水受け体と、Oリングと、シールリングと、が設けてあり、しかも前記噴水具と前記水ガイド具との間にはシールリングが設けてあることを特徴とする請求項4に記載の分解可能式散水器セットとその収容体であることを要旨としている。
【発明の効果】
【００１１】
本発明の分解可能式散水器セットとその収容体によれば、次のような効果がある。
(イ)分解された散水器を収容体の内部に入れ可能であり、且つ組付けられた散水器が収容体と連接して一体になることが可能である。
【００１２】
(ロ)散水ヘッドの流路が多方向に向いており、且つ散水ヘッドの散水形態を変更可能である。
【発明を実施するための最良の形態】
【００１３】
以下、添付図面を参照して本発明の好適な実施の形態を詳細に説明する。
【００１４】
まず、図1乃至図3を参照する。本発明の収容体10は散水セットを収容可能であり、前記収容体10は、樹脂で成形されたものであり、内面には散水器の形状に合う窪み形状を持つライニング11が形成してあり、前記収容体10の外面には内面より硬さがより高い二つのケース12が形成してあり、前記ケース12と前記ライニング11とが充填空間13を構成し、前記二つのケース12は、一端が互いに連接しており、他端の中央に矩形穴を呈する握り部14が形成してあり、前記ライニング11には前記ライニング11を貫通した注入穴16が複数開設してあり、前記各注入穴16にはパッキン17が設けてあり、前記各注入穴16から水や砂などが注入され、これにより、収容体10は、全体の重量が重くなり、台座として使用可能になる。
【００１５】
散水器セットは、回転式の噴水ヘッド20と、ホースと接続可能の接合具30と、前記噴水ヘッド20と前記接合具30と収容体10とを接続する連接装置50と、全体構成の頂部に設けられ、多方向および多形態の散水を可能にする散水ヘッド40と、を含む。
【００１６】
噴水ヘッド20は、水力によって旋回するものであり、周知の構造であるので、説明が省略された。
【００１７】
接合具30の一側には連接装置50と接合するためのチューブ連接部31が設けてあり、前記チューブ連接部31には弾性を持つ係止具32が設けてあり、前記係止具32により連接装置50が係止されて位置決められるようになり、接合具30の他側は、一端にホースと連接するチューブ連接部33が凸設してあり、中段に水量を制御するための旋回式スイッチ34が設けてあり、他端に連接装置50を介して噴水ヘッド20と散水ヘッド40とに連接するための外ねじを持つ接合部35が設けてある。
【００１８】
散水ヘッド40の本体41は、フラットなケースであり、内部に三つの方向に向いている流路が設けてあり、外部に半円形状を呈する分流経路42が設けてあり、前記分流経路42は接合体43を介して散水装置60と接合し、前記接合体43は、キャップ形状を呈し、前記分流経路42に嵌められ、開ロ端の外縁には外ねじを持つ接合部430が設けてあり、前記散水装置60が接合部430に螺着される。
【００１９】
連接装置50は、チューブ形状を呈する複数の連接具51を有し、前記連接具51が継ぎ手52にて互いに連接可能であり、前記連接装置50の収容体10にある握り部14に対応する箇所では、前記握り部14の窪みと嵌合可能の固定連接具53が複数に設けてあり、前記各固定連接具53が前記収容体10の握り部14と重ね可能であり、そのうちの一つの固定連接具53には貫通孔を呈する挿入部530が設けてあり、別の固定連接具53には外ねじを持つ固定連接部531が設けてあり、前記挿入部530に前記固定連接部531を貫入すると、前記固定連接部531は連接具51の端部に設けられた継ぎ手52と接合するようになり、また、継ぎ手52にて別の連接具51と連接して適当な高さになると、その上端を接合具30の下端と連接して、接合具30の上端から、連接具51、継ぎ手52と散水ヘッド40を順次連接する。
【００２０】
前記散水装置60は、主に、散水ヘッド40の接合体43と連接するための水ガイド具61を有し、前記水ガイド具61は、外面において異なる穴径を持つ噴水口が多数に開設してある噴水具62が套設され、末端がプラグ63に封止され、前記水ガイド具61と前記接合体43との間には、シール特性が優れる水受け体64と、Ｏリング65と、シールリング66と、が設けてある。なお、シール機能を更に向上するために、噴水具62と水ガイド具61との間にはシールリング67が設けてある。
【００２１】
また、水ガイド具61は、チューブ形状を呈し、一端が拡径されて内ねじを持つ接合部610に形成され、前記接合部610により水ガイド具61が接合体43の接合部430と接合して一体になり、なお、水ガイド具61の内部にはガイド部611が形成してあり、分流経路42からの水がガイド部611に流入され、また、ガイド部611の周面には水流の形態をガイドするための水ガイドロ612が形成してあり、水ガイドロ612の周縁には封止パッキン613が環設してあり、これにより、水ガイドロ612と噴水具62との間に水を一旦貯留する空間が構成される。
【００２２】
噴水具62の壁面には異なる形態の噴水ロ620が多数に開設してあり、前記噴水ロ620は、噴霧穴もあるし、矩形穴もあり、前記噴水具62の一端には凹んだ規制部621が設けてあり、なお、水ガイド具61の上では突起を呈する制限部614が設けてあり、これにより、状況を見て噴水具62を水ガイド具61に対して回転させ、噴水モードを変更可能である。
【００２３】
プラグ63の小径端がガイド部611に入れられ、プラグ63のガイド部611から露出した端部が大径端であり、前記プラグ63の大径端により噴水具62が規制される。
【００２４】
また、図6を参照する。図6に示したのは本発明の散水装置と散水ヘッドとの別の実施例の分解斜視図である。散水ヘッド40の本体41の外部には分流経路42が形成してあり、散水装置60と合う接合体43は、キャップ形状を呈し、前記分流経路42に嵌められ、その開ロ端の外縁に前記散水装置60の結合体622と連接するための接合部430が設けてあり、前記接合部430は外ねじを持ち、結合体622と噴水具62とが一体に結合され内部が連通であり、前記噴水具62の壁面には異なる形態の噴水ロ620が多数に開設してあり、前記噴水口620は、噴霧穴もあるし、矩形穴もあり、前記噴水具62の他端がプラグ63に封止される。
【００２５】
なお、本発明は前記実施の形態に限定されるものセはなく、本発明の趣旨に基づいて種々変形させることが可能であり、それらを本発明の範囲から排除するものではない。
【図面の簡単な説明】
【００２６】
【図１】本発明の収容体のライニングのレーアウトを示す概略図である。
【図２】本発明の組付方法を示す分解斜視図である。
【図３】本発明の散水装置と散水ヘッドとの分解斜視図である。
【図４】本発明の組合状態の概略図である。
【図５】本発明に噴水ヘッドを結合した状態の概略図である。
【図６】本発明の散水装置と散水ヘッドとの別の実施例の分解斜視図である。
【符号の説明】
【００２７】
１０    収容体
１１    ライニング
１２    ケース
１３    充填空間
１４    握り部
１５    位置決め穴
１６    注入穴
１７    パッキン
２０    注入ヘッド
３０    接合具
３１    チューブ連接部
３２    係止具
３３    チューブ連接部
３４    旋回式スイッチ
３５    接合体
４０    散水ヘッド
４１    本体
４２    分流経路
４３    接合体
５０    連接装置
５１    連接具
５２    継ぎ手
５３    固定連接具
６０    散水装置
６１    水ガイド具
６２    噴水具
６３    プラグ
６４    水受け体
６５    Ｏリング
６６    シールリング
６７    シールリング
４３０  接合体
５３０  挿入部
５３１  固定連接部
６１０  接合部
６１１  ガイド部
６１２  水ガイド口
６１３  封止パッキン
６２０  噴水口
６２１  規制部
６２２  結合部
【図１】
0004685841.tif 000002
【図２】
0004685841.tif 000003
【図３】
0004685841.tif 000004
【図４】
0004685841.tif 000005
【図５】
0004685841.tif 000006
【図６】
0004685841.tif 000007